(57)【要約】  放送受信装置（１００）は、取得したアナログ放送の放送信号から音声信号を生成するアナログ音声生成部（１１１）と、取得したデジタル放送の放送信号から音声信号を生成するデジタル音声生成部（１１２）と、アナログ放送の受信品質が良い場合、デジタル放送の音声ビットレートに応じて、合成態様を決定する合成態様決定部（１１３）と、アナログ音声生成部（１１１）が生成した音声信号と、デジタル音声生成部（１１２）が生成した音声信号とを、合成態様決定部（１１３）が決定した合成態様に基づいて合成した合成音声信号を生成する音声信号合成部（１１４）と、を備えた。
2020012634.tif 000002
【特許請求の範囲】
【請求項１】
取得したアナログ放送の放送信号から音声信号を生成するアナログ音声生成部と、
取得したデジタル放送の放送信号から音声信号を生成するデジタル音声生成部と、
前記アナログ放送の受信品質が良い場合、前記デジタル放送の音声ビットレートに応じて、合成態様を決定する合成態様決定部と、
前記アナログ音声生成部が生成した音声信号と、前記デジタル音声生成部が生成した音声信号とを、前記合成態様決定部が決定した前記合成態様に基づいて合成した合成音声信号を生成する音声信号合成部と、
を備えたこと
を特徴とする放送受信装置。
【請求項２】
前記合成態様決定部は、前記デジタル放送の前記音声ビットレートが前記アナログ放送の放送種別から推定される音声ビットレートより低い場合、前記デジタル音声生成部が生成した音声信号における弱い周波数成分の信号を、前記アナログ音声生成部が生成した音声信号における当該周波数成分と同じ周波数の周波数成分の信号により補完して前記合成音声信号を生成するように、前記合成態様を決定すること
を特徴とする請求項１記載の放送受信装置。
【請求項３】
前記合成態様決定部は、前記アナログ放送の前記受信品質が良い場合、前記デジタル放送の前記音声ビットレート、及び、前記デジタル音声生成部が生成した音声信号の周波数特性に応じて、前記合成態様を決定すること
を特徴とする請求項１記載の放送受信装置。
【請求項４】
前記合成態様決定部は、前記デジタル放送の前記音声ビットレートが前記アナログ放送の放送種別から推定される音声ビットレートより高く、且つ、前記デジタル音声生成部が生成した音声信号の周波数特性が前記アナログ音声生成部が生成した音声信号の周波数特性より悪い場合、前記デジタル音声生成部が生成した音声信号の前記周波数特性より高い周波数の周波数成分の信号を、前記アナログ音声生成部が生成した音声信号における当該周波数の周波数成分の信号により補完して前記合成音声信号を生成するように、前記合成態様を決定すること
を特徴とする請求項３記載の放送受信装置。
【請求項５】
前記合成態様決定部は、前記デジタル放送の前記音声ビットレートが前記アナログ放送の放送種別から推定される音声ビットレートより低く、且つ、前記デジタル音声生成部が生成した音声信号の周波数特性が前記アナログ音声生成部が生成した音声信号の周波数特性より良い場合、前記デジタル音声生成部が生成した音声信号における弱い周波数成分の信号を、前記アナログ音声生成部が生成した音声信号における当該周波数成分と同じ周波数の周波数成分の信号により補完して前記合成音声信号を生成するように、前記合成態様を決定すること
を特徴とする請求項３記載の放送受信装置。
【請求項６】
前記合成態様決定部は、前記デジタル放送の前記音声ビットレートが前記アナログ放送の放送種別から推定される音声ビットレートより高く、且つ、前記デジタル音声生成部が生成した音声信号の周波数特性が前記アナログ音声生成部が生成した音声信号の周波数特性より良い場合、前記デジタル音声生成部が生成した音声信号の前記周波数特性より高い周波数の周波数成分の信号を、前記アナログ音声生成部が生成した音声信号における当該周波数の周波数成分の信号により補完し、更に、前記デジタル音声生成部が生成した音声信号における弱い周波数成分の信号を、前記アナログ音声生成部が生成した音声信号における当該周波数成分と同じ周波数の周波数成分の信号により補完して前記合成音声信号を生成するように、前記合成態様を決定すること
を特徴とする請求項３記載の放送受信装置。
【請求項７】
前記合成態様決定部は、前記デジタル放送の前記音声ビットレートが前記アナログ放送の放送種別から推定される音声ビットレートより高く、且つ、前記デジタル音声生成部が生成した音声信号の周波数特性が前記アナログ音声生成部が生成した音声信号の周波数特性より良い場合、前記アナログ音声生成部が生成した音声信号と、前記デジタル音声生成部が生成した音声信号とを合成せずに、前記デジタル音声生成部が生成した音声信号を前記合成音声信号とするように、前記合成態様を決定すること
を特徴とする請求項３記載の放送受信装置。
【請求項８】
前記合成態様決定部は、前記デジタル放送の前記音声ビットレートが前記アナログ放送の放送種別から推定される音声ビットレートより低く、且つ、前記デジタル音声生成部が生成した音声信号の周波数特性が前記アナログ音声生成部が生成した音声信号の周波数特性より悪い場合、前記アナログ音声生成部が生成した音声信号と、前記デジタル音声生成部が生成した音声信号とを合成せずに、前記アナログ音声生成部が生成した音声信号を前記合成音声信号とするように、前記合成態様を決定すること
を特徴とする請求項３記載の放送受信装置。
【請求項９】
前記合成態様決定部は、前記アナログ放送の前記受信品質が良く、且つ、取得した前記デジタル放送の前記放送信号にビット誤りがある場合、前記アナログ音声生成部が生成した音声信号と、前記デジタル音声生成部が生成した音声信号とを合成せずに、前記アナログ音声生成部が生成した音声信号を前記合成音声信号とするように、前記合成態様を決定すること
を特徴とする請求項１記載の放送受信装置。
【請求項１０】
前記合成態様決定部は、前記アナログ放送の前記受信品質が悪い場合、前記アナログ音声生成部が生成した音声信号と、前記デジタル音声生成部が生成した音声信号とを合成せずに、前記デジタル音声生成部が生成した音声信号のみから前記合成音声信号を生成するように、前記合成態様を決定すること
を特徴とする請求項１記載の放送受信装置。
【請求項１１】
アナログ音声生成部が、取得したアナログ放送の放送信号から音声信号を生成し、
デジタル音声生成部が、取得したデジタル放送の放送信号から音声信号を生成し、
合成態様決定部が、前記アナログ放送の受信品質が良い場合、前記デジタル放送の音声ビットレートに応じて、合成態様を決定すること
音声信号合成部が、前記アナログ音声生成部が生成した音声信号と、前記デジタル音声生成部が生成した音声信号とを、前記合成態様決定部が決定した前記合成態様に基づいて合成した合成音声信号を生成すること
を特徴とする放送受信方法。
【発明の詳細な説明】
【技術分野】
【０００１】
この発明は、放送受信装置、及び放送受信方法に関するものである。
【背景技術】
【０００２】
ＤＡＢ（Ｄｉｇｉｔａｌ  Ａｕｄｉｏ  Ｂｒｏａｄｃａｓｔ）、及びＩＢＯＣ（Ｉｎ−ｂａｎｄ  ｏｎ−ｃｈａｎｎｅｌ）等のデジタル放送により放送される番組は、同一番組がアナログ放送によっても放送されている。そのため、受信したデジタル放送の放送信号から生成される音声信号と、受信したアナログ放送の放送信号から生成される音声信号とにおいて、同一音源における当該各音声信号の時間差を調整することで、アナログ放送からデジタル放送に、又は、デジタル放送からアナログ放送に、音声を途切れさせることなく、又は、音声を重複させることなく、切り替えることが可能である。【０００３】
例えば、特許文献１には、所定周波数帯域に含まれるアナログ放送の放送波から第１音声信号を復調するアナログ復調部と、前記周波数帯域に含まれる、アナログ放送と同一内容のデジタル放送の放送波から第２音声信号を復調・復号するデジタル復調・復号部と、第１及び第２音声信号の少なくとも一方を遅延させ、それぞれ第３及び第４音声信号として出力する遅延部と、アナログ放送の放送波の受信状態を示すアナログ受信状態信号を出力する受信状態検出部と、アナログ受信状態信号に応じて第３／４音声信号の音量及び音質の少なくとも一方を制御して、それぞれ第５／６音声信号として出力する第１／２音声処理部と、アナログ放送及びデジタル放送の放送波の少なくとも一方の受信状態に応じて、第５音声信号と第６音声信号とを所定の割合で混合して出力する混合処理部と、を有する受信装置が開示されている。【０００４】
特許文献１に開示された受信装置は、デジタル放送の放送波の受信状態が所定の第１の状態より良い場合は、デジタル放送の放送波から得た音声信号を出力し、デジタル放送の放送波の受信状態が所定の第１の状態より悪く、且つ、所定の第２の状態より良い場合は、デジタル放送の放送波から得た音声信号とアナログ放送の放送波から得た音声信号とを、デジタル放送の放送波の受信状態に応じて混合して出力し、デジタル放送の放送波の受信状態が所定の第２の状態より悪い場合は、アナログ放送の放送波から得た音声信号を出力するものである。
【先行技術文献】
【特許文献】
【０００５】
【特許文献１】特開２０１０-２１９６４９号公報
【発明の概要】
【発明が解決しようとする課題】
【０００６】
しかしながら、デジタル放送の放送波から得た音声信号は、規格上、アナログ放送の放送波から得た音声信号より音質が悪いことがある。特許文献１に開示された受信装置は、デジタル放送の放送波の受信状態が良い場合、アナログ放送の放送波から得た音声信号より音質が劣るデジタル放送の放送波から得た音声信号を出力してしまうという問題点があった。【０００７】
この発明は、上述の問題点を解決するためのもので、アナログ放送の受信品質が良い場合において、受信したデジタル放送の放送波から得た音声信号より高音質な音声信号を出力できる放送受信装置を提供することを課題としている。
【課題を解決するための手段】
【０００８】
この発明に係る放送受信装置は、取得したアナログ放送の放送信号から音声信号を生成するアナログ音声生成部と、取得したデジタル放送の放送信号から音声信号を生成するデジタル音声生成部と、アナログ放送の受信品質が良い場合、デジタル放送の音声ビットレートに応じて、合成態様を決定する合成態様決定部と、アナログ音声生成部が生成した音声信号と、デジタル音声生成部が生成した音声信号とを、合成態様決定部が決定した合成態様に基づいて合成した合成音声信号を生成する音声信号合成部と、を備えたものである。
【発明の効果】
【０００９】
この発明によれば、アナログ放送の受信品質が良い場合において、デジタル放送の放送波から得た音声信号より高音質な音声信号を出力できる。
【図面の簡単な説明】
【００１０】
【図１】図１は、実施の形態１に係る放送受信装置が適用された車載用音響装置の要部を示すブロック図である。
【図２】図２Ａ及び図２Ｂは、実施の形態１に係る放送受信装置のハードウェア構成の一例を示す図である。
【図３】図３は、実施の形態１に係る放送受信装置における合成態様決定部の要部を示すブロック図である。
【図４】図４は、実施の形態１に係る放送受信装置における音声信号合成部の要部を示すブロック図である。
【図５】図５は、実施の形態１に係る放送受信装置の処理を説明するフローチャートである。
【図６】図６は、実施の形態１に係る放送受信装置における合成態様決定部の処理を説明するフローチャートである。
【図７】図７は、実施の形態１に係る放送受信装置における音声信号合成部の処理を説明するフローチャートである。
【図８】図８は、実施の形態２に係る放送受信装置が適用された車載用音響装置の要部を示すブロック図である。
【図９】図９は、実施の形態２に係る放送受信装置における合成態様決定部の要部を示すブロック図である。
【図１０】図１０は、実施の形態２に係る放送受信装置における音声信号合成部の要部を示すブロック図である。
【図１１】図１１は、実施の形態２に係る放送受信装置の処理を説明するフローチャートである。
【図１２】図１２は、実施の形態２に係る放送受信装置における合成態様決定部の処理を説明するフローチャートである。
【図１３Ａ】図１３Ａは、実施の形態２に係る放送受信装置における音声信号合成部の処理の一部を説明するフローチャートである。
【図１３Ｂ】図１３Ｂは、実施の形態２に係る放送受信装置における音声信号合成部の処理の一部を説明するフローチャートである。
【発明を実施するための形態】
【００１１】
以下、この発明の実施の形態について、図面を参照しながら詳細に説明する。
【００１２】
実施の形態１．
実施の形態１に係る放送受信装置１００は、一例として、車載用音響装置１０に適用されるものとして、以下説明する。
図１は、実施の形態１に係る放送受信装置１００が適用された車載用音響装置１０の要部を示すブロック図である。
【００１３】
車載用音響装置１０は、車両１に搭載されている。
車両１は、車載用音響装置１０、音声出力装置１１、及びアンテナ１２を備える。
【００１４】
音声出力装置１１は、後述する車載用音響装置１０から取得した音声信号を音波に変換して出力する。音声出力装置１１は、例えば、スピーカである。
アンテナ１２は、アナログ放送及びデジタル放送の放送波を受信し、受信した放送波を電気信号である放送信号として後述する車載用音響装置１０に出力する。
より具体的には、アンテナ１２は、アナログ放送の放送波を受信するためのアンテナ１２ａと、デジタル放送の放送波を受信するためのアンテナ１２ｂとからなる。１個のアンテナ１２によりアナログ放送の放送波及びデジタル放送の放送波の両方を受信できる場合、アンテナ１２は、アンテナ１２ａ，１２ｂの２個である必要はない。
車載用音響装置１０は、後述する放送受信装置１００から取得した合成音声信号を適宜増幅し、増幅した音声信号を音声出力装置１１に出力するものである。
【００１５】
車載用音響装置１０は、放送受信装置１００、操作受付部１０１、及び増幅部１０２を備える。
【００１６】
操作受付部１０１は、操作入力装置（図示せず）から操作情報を受け付け、受け付けた操作情報に基づいて、放送受信装置１００及び増幅部１０２に操作情報を適宜出力する。操作情報は、例えば、増幅部１０２における増幅値を設定するための情報、アナログ放送及びデジタル放送の放送局に対応する放送周波数を設定するための情報、及び、車載用音響装置１０又は後述する放送受信装置１００の電源の入切を行うための情報である。
放送周波数は、例えば、操作受付部１０１が取得した操作情報に基づいて設定される。
より具体的には、例えば、操作受付部１０１は、操作情報に基づいて、アナログ放送又はデジタル放送のいずれか一方の放送局に対応する放送周波数を設定する際に、アナログ放送又はデジタル放送のいずれかもう一方の放送周波数についても、当該放送局に対応する放送周波数を設定する。以下、アナログ放送の放送局とデジタル放送の放送局とが同一である場合、同一の放送番組が放送されているものとして説明する。
【００１７】
増幅部１０２は、設定された増幅値に基づいて、後述する放送受信装置１００から取得した合成音声信号を増幅し、増幅した合成音声信号を音声出力装置１１に出力する。増幅値は、例えば、操作受付部１０１が取得した操作情報に基づいて設定される。
【００１８】
放送受信装置１００は、アンテナ１２から取得した放送信号において、設定された放送周波数のアナログ放送及びデジタル放送の放送信号を抽出し、抽出したアナログ放送及びデジタル放送の放送信号から生成した音声信号を合成した合成音声信号を増幅部１０２に出力するものである。
【００１９】
放送受信装置１００は、アナログ音声生成部１１１、デジタル音声生成部１１２、合成態様決定部１１３、及び音声信号合成部１１４を備える。
【００２０】
アナログ音声生成部１１１は、アンテナ１２ａから取得したアナログ放送の放送信号から音声信号を生成する。
より具体的には、アナログ音声生成部１１１は、アンテナ１２ａから取得した放送信号において、例えば、操作受付部１０１が取得した操作情報に基づいて設定された放送周波数のアナログ放送の放送信号を抽出する。更に、アナログ音声生成部１１１は、抽出したアナログ放送の放送信号を復調することで音声信号を生成する。アナログ音声生成部１１１は、生成した音声信号を後述する合成態様決定部１１３及び音声信号合成部１１４に出力する。
以下、アナログ音声生成部１１１が生成した音声信号をアナログ音声信号という。
【００２１】
デジタル音声生成部１１２は、アンテナ１２ｂから取得したデジタル放送の放送信号から音声信号を生成する。
より具体的には、デジタル音声生成部１１２は、アンテナ１２ｂから取得した放送信号において、例えば、操作受付部１０１が取得した操作情報に基づいて設定された放送周波数のデジタル放送の放送信号を抽出する。更に、デジタル音声生成部１１２は、抽出したデジタル放送の放送信号を復調し、復調した放送信号を復号することで音声信号を生成する。デジタル音声生成部１１２は、生成した音声信号を後述する合成態様決定部１１３及び音声信号合成部１１４に出力する。
【００２２】
以下、放送信号は、放送局においてＭＰ２（ＭＰＥＧ-１/２  Ａｕｄｉｏ  Ｌａｙｅｒ-２）方式により圧縮された音声データが放送局に対応する放送周波数に変調されて、放送局から出力されているものとして説明する。放送局における圧縮方式は、ＭＰ２に限るものではなく、ＭＰＥＧ−２  ＡｕｄｉｏＢＣ（ｂａｃｋｗａｒｄ  ｃｏｍｐａｔｉｂｌｅ）、又はＭＰＥＧ−２  ＡＡＣ（Ａｄｖａｎｃｅｄ  Ａｕｄｉｏ  Ｃｏｄｉｎｇ）等、ＭＰ２とは異なる圧縮方式であっても良い。すなわち、デジタル音声生成部１１２は、デジタル放送の放送信号を復調してＭＰ２方式により圧縮された音声データを抽出し、抽出したＭＰ２方式により圧縮された音声データを復号することで音声信号を生成する。デジタル音声生成部１１２は、生成した音声信号を後述する合成態様決定部１１３及び音声信号合成部１１４に出力する。
【００２３】
また、以下、デジタル音声生成部１１２が生成した音声信号をデジタル音声信号という。
【００２４】
合成態様決定部１１３は、アナログ放送の受信品質、及び、デジタル放送の音声ビットレートに応じて、合成態様を決定する。
より具体的には、合成態様決定部１１３は、アナログ放送の受信品質、及び、デジタル放送の音声ビットレートに応じて、合成態様を決定し、決定した合成態様を音声信号合成部１１４に出力する。
合成態様は、後述する音声信号合成部１１４において、アナログ音声信号と、デジタル音声信号とを合成する態様である。合成態様は、例えば、アナログ音声信号とデジタル音声信号とを合成する際の合成方法を示す情報である。
合成態様決定部１１３が合成態様を決定する処理の詳細については後述する。
【００２５】
音声信号合成部１１４は、アナログ音声信号とデジタル音声信号とを、合成態様決定部１１３が決定した合成態様に基づいて合成した合成音声信号を生成する。
より具体的には、音声信号合成部１１４は、アナログ音声信号とデジタル音声信号とを、合成態様決定部１１３が決定した合成態様に基づいて合成した合成音声信号を生成し、生成した合成音声信号を増幅部１０２に出力する。
音声信号合成部１１４における合成音声信号を生成する処理の詳細については後述する。
【００２６】
図２Ａ及び図２Ｂを参照して、実施の形態１に係る放送受信装置１００の要部のハードウェア構成について説明する。
図２Ａ及び図２Ｂは、実施の形態１に係る放送受信装置１００の要部のハードウェア構成の一例を示す図である。
【００２７】
図２Ａに示す如く、放送受信装置１００はコンピュータにより構成されており、当該コンピュータはプロセッサ２０１及びメモリ２０２を有している。メモリ２０２には、当該コンピュータをアナログ音声生成部１１１、デジタル音声生成部１１２、合成態様決定部１１３、及び音声信号合成部１１４として機能させるためのプログラムが記憶されている。メモリ２０２に記憶されているプログラムをプロセッサ２０１が読み出して実行することにより、アナログ音声生成部１１１、デジタル音声生成部１１２、合成態様決定部１１３、及び音声信号合成部１１４の機能が実現される。
【００２８】
また、図２Ｂに示す如く、放送受信装置１００は処理回路２０３により構成されても良い。この場合、アナログ音声生成部１１１、デジタル音声生成部１１２、合成態様決定部１１３、及び音声信号合成部１１４の機能が処理回路２０３により実現されても良い。
【００２９】
また、放送受信装置１００はプロセッサ２０１、メモリ２０２及び処理回路２０３により構成されても良い（不図示）。この場合、アナログ音声生成部１１１、デジタル音声生成部１１２、合成態様決定部１１３、及び音声信号合成部１１４の機能のうちの一部の機能がプロセッサ２０１及びメモリ２０２により実現されて、残余の機能が処理回路２０３により実現されるものであっても良い。
【００３０】
プロセッサ２０１は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、マイクロプロセッサ、マイクロコントローラ又はＤＳＰ（Ｄｉｇｉｔａｌ  Ｓｉｇｎａｌ  Ｐｒｏｃｅｓｓｏｒ）を用いたものである。
【００３１】
メモリ２０２は、例えば、半導体メモリ又は磁気ディスクを用いたものである。より具体的には、メモリ２０２は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＳＳＤ（Ｓｏｌｉｄ  Ｓｔａｔｅ  Ｄｒｉｖｅ）又はＨＤＤ（Ｈａｒｄ  Ｄｉｓｋ  Ｄｒｉｖｅ）などを用いたものである。
【００３２】
処理回路２０３は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、ＳｏＣ（Ｓｙｓｔｅｍ−ｏｎ−ａ−Ｃｈｉｐ）又はシステムＬＳＩ（Ｌａｒｇｅ−Ｓｃａｌｅ  Ｉｎｔｅｇｒａｔｉｏｎ）を用いたものである。
【００３３】
図３を参照して、合成態様決定部１１３が合成態様を決定する処理について説明する。
図３は、実施の形態１に係る放送受信装置１００における合成態様決定部１１３の要部を示すブロック図である。
合成態様決定部１１３は、例えば、アナログ受信品質判定部１３１、ビットレート判定部１３２、態様出力部１３３、及び受信エラー判定部１３４を備える。
【００３４】
アナログ受信品質判定部１３１は、アナログ放送の放送波の受信品質が良いか否かを判定する。
より具体的には、例えば、アナログ受信品質判定部１３１は、アナログ音声信号に含まれるホワイトノイズ及びピンクノイズ等の雑音信号のパワーが、予め定められた閾値より小さいか否かを判定することにより、アナログ放送の放送波の受信品質が良いか否かを判定する。アナログ音声信号に含まれる雑音信号のパワーは、例えば、アナログ音声信号を離散フーリエ変換して得られたパワースペクトルを周知の技術で解析することにより算出可能である。予め定められた閾値は、例えば、固定値であっても良いし、また、アナログ音声信号から雑音信号を除いた信号のパワーに基づいて算出される値等であっても良い。
【００３５】
ビットレート判定部１３２は、例えば、デジタル放送の音声ビットレートが予め定められた閾値より低いか否かを判定する。
より具体的には、例えば、ビットレート判定部１３２は、デジタル音声生成部１１２が復調した放送信号を復号する際に得たデジタル音声信号の音声ビットレートを示す情報をデジタル音声生成部１１２から取得する。音声ビットレートを示す情報は、例えば、復調後の放送信号におけるＭＰ２のＴＳ（Ｔｒａｎｓｐｏｒｔ  Ｓｔｒｅａｍ）ヘッダ等に格納されている。
【００３６】
実施の形態１では、デジタル音声生成部１１２は、復調した放送信号を復号する際に得たデジタル音声信号の音声ビットレートを示す情報を、ビットレート判定部１３２に出力するものとして説明する。
すなわち、実施の形態１では、ビットレート判定部１３２は、デジタル音声生成部１１２からデジタル音声信号の音声ビットレートを示す情報を取得し、取得したデジタル音声信号の音声ビットレートを示す情報と、予め定められた閾値とを比較することで、デジタル放送の音声ビットレートが予め定められた閾値より低いか否かを判定する。
【００３７】
デジタル放送の音声ビットレートは、例えば、ＤＡＢでは、８ｋｂｐｓ（ｋｉｌｏ  ｂｉｔｓ  ｐｅｒ  ｓｅｃｏｎｄ）から３８４ｋｂｐｓまでの間であり、ＩＢＯＣでは、２０ｋｂｐｓから４０ｋｂｐｓ、又は２５ｋｂｐｓから３００ｋｂｐｓまでの間である。
予め定められた閾値は、例えば、アナログ放送の放送種別から推定された音声ビットレートである。実施の形態１では、予め定められた閾値は、アナログ放送の放送種別から推定された音声ビットレートであるものとして説明するが、予め定められた閾値は、適宜決定された固定値であっても良い。
アナログ放送の放送種別は、例えば、操作受付部１０１が取得した操作情報に基づいてアナログ音声生成部１１１に設定された放送周波数から判別可能である。アナログ音声生成部１１１に設定された放送周波数は、例えば、アナログ音声生成部１１１から取得可能である。
【００３８】
実施の形態１では、アナログ音声生成部１１１は、設定された放送周波数をビットレート判定部１３２に出力するものとして説明する。
すなわち、ビットレート判定部１３２は、放送周波数をアナログ音声生成部１１１から取得するものとして説明するが、ビットレート判定部１３２は、操作受付部１０１が操作情報に基づいてアナログ音声生成部１１１に放送周波数を設定する際に、当該放送周波数を操作受付部１０１から取得しても良い。
【００３９】
より具体的には、例えば、ビットレート判定部１３２は、取得した放送周波数の値が４７ＭＨｚ（ｍｅｇａｈｅｒｔｚ）から１０８ＭＨｚまでの間である場合、放送種別がＦＭ（Ｆｒｅｑｕｅｎｃｙ  Ｍｏｄｕｌａｔｉｏｎ）放送であると判別する。放送種別がＦＭ放送である場合、推定される一般的な音声ビットレートは、ＦＭステレオ放送では９６ｋｂｐｓ、ＦＭモノラル放送では４８ｋｂｐｓである。また、例えば、ビットレート判定部１３２は、取得した放送周波数の値が５２６．５ｋＨｚ（ｋｉｌｏｈｅｒｔｚ）から１６０６．５ｋＨｚまでの間である場合、放送種別がＡＭ（Ａｍｐｌｉｔｕｄｅ  Ｍｏｄｕｌａｔｉｏｎ）放送であると判別する。放送種別がＡＭ放送である場合、推定される一般的な音声ビットレートは、３２ｋｂｐｓである。
【００４０】
受信エラー判定部１３４は、アンテナ１２ｂから取得したデジタル放送の放送信号にビット誤りがあるか否かを判定する。
より具体的には、例えば、受信エラー判定部１３４は、デジタル音声生成部１１２から取得したデジタル音声信号を生成できたか否かを示す情報に基づいて、アンテナ１２ｂから取得したデジタル放送の放送信号にビット誤りがあるか否かを判定する。
なお、受信エラー判定部１３４は、実施の形態１に係る放送受信装置１００において必須な構成ではなく、受信エラー判定部１３４は、実施の形態１に係る放送受信装置１００に、適宜、追加又は削除することができる。
【００４１】
態様出力部１３３は、アナログ受信品質判定部１３１が判定した結果と、ビットレート判定部１３２が判定した結果とに基づいて、合成態様を決定して、音声信号合成部１１４に出力する。
より具体的には、例えば、態様出力部１３３は、アナログ受信品質判定部１３１によりアナログ放送の放送波の受信品質が良いと判定され、且つ、ビットレート判定部１３２によりデジタル放送の音声ビットレートが予め定められた閾値より低いと判定された場合、デジタル音声信号における一部の周波数成分がアナログ音声信号には存在するにも拘わらずデジタル音声信号には存在しないことが推定されるため、デジタル音声信号における弱い周波数成分の信号を、アナログ音声信号における当該周波数成分と同じ周波数の周波数成分の信号により補完して合成音声信号を生成するよう（以下「態様Ｃ」という。）に、合成態様を決定する。
【００４２】
また、例えば、態様出力部１３３は、アナログ受信品質判定部１３１によりアナログ放送の放送波の受信品質が良いと判定され、且つ、ビットレート判定部１３２によりデジタル放送の音声ビットレートが予め定められた閾値より低くない、すなわち、デジタル放送の音声ビットレートが予め定められた閾値以上であると判定された場合、デジタル音声信号の音質がアナログ音声信号の音質よりも良いことが推定されるため、アナログ音声信号とデジタル音声信号とを合成せずに、デジタル音声信号を合成音声信号とするよう（以下「態様Ａ」という。）に、合成態様を決定する。
【００４３】
また、例えば、態様出力部１３３は、アナログ受信品質判定部１３１によりアナログ放送の放送波の受信品質が良くない、すなわち、アナログ放送の放送波の受信品質が悪いと判定された場合、アナログ音声信号が聴くに堪えない音質であることが想定されるため、ビットレート判定部１３２が判定した結果に依存せずに、合成態様を態様Ａに決定する。アナログ受信品質判定部１３１は、アナログ受信品質判定部１３１によりアナログ放送の放送波の受信品質が悪いと判定された場合、例えば、ビットレート判定部１３２によるデジタル放送の音声ビットレートが予め定められた閾値より低いか否かを判定する処理を実行させないようにビットレート判定部１３２を制御しても良い。
【００４４】
また、例えば、態様出力部１３３は、合成態様決定部１１３が受信エラー判定部１３４を備え、アナログ受信品質判定部１３１によりアナログ放送の放送波の受信品質が良いと判定され、且つ、受信エラー判定部１３４によりアンテナ１２ｂから取得したデジタル放送の放送信号にビット誤りがあると判定された場合、デジタル音声信号が生成されていないことが推定されるため、アナログ音声信号とデジタル音声信号とを合成せずに、アナログ音声信号を合成音声信号とするよう（以下「態様Ｂ」という。）に合成態様を決定する。
【００４５】
なお、アナログ受信品質判定部１３１、ビットレート判定部１３２、及び受信エラー判定部１３４は、放送受信装置１００に備えられていれば、必ずしも合成態様決定部１１３に備えられている必要ない。
【００４６】
図４を参照して、音声信号合成部１１４における合成音声信号を生成する処理について説明する。
図４は、実施の形態１に係る放送受信装置１００における音声信号合成部１１４の要部を示すブロック図である。
音声信号合成部１１４は、例えば、遅延制御部１４１、アナログ遅延調整部１４２、デジタル遅延調整部１４３、音量調節部１４４、周波数成分抽出部１４５、及び合成部１４６を備える。
【００４７】
遅延制御部１４１は、アナログ音声信号とデジタル音声信号とにおける同一音源の時間的ずれを検出し、検出した時間的ずれに応じて、後述するアナログ遅延調整部１４２及びデジタル遅延調整部１４３を制御する。
より具体的には、例えば、遅延制御部１４１は、アナログ音声信号とデジタル音声信号とにおける同一周波数成分の音声信号の形状を比較し、当該形状が一致する時間的位置を検出することで、デジタル音声信号とにおける同一音源の時間的ずれを検出する。同一周波数成分は、例えば、１ｋＨｚである。同一周波数成分は、１ｋＨｚに限定されるものではなく、アナログ音声信号及びデジタル音声信号の両方に含まれる周波数帯域内であれば良い。また、遅延制御部１４１が形状を比較する同一周波数成分は、１個とは限らず、遅延制御部１４１は、複数の周波数成分におけるアナログ音声信号とデジタル音声信号とにおける音声信号の形状に基づいて、同一音源の時間的ずれを検出しても良い。
【００４８】
また、遅延制御部１４１は、例えば、検出した時間的ずれに基づいて、後述するアナログ遅延調整部１４２又はデジタル遅延調整部１４３に当該時間的ずれを示す情報を出力することで、アナログ遅延調整部１４２及びデジタル遅延調整部１４３を制御する。
より具体的には、例えば、遅延制御部１４１は、アナログ音声信号がデジタル音声信号より先行している場合、アナログ遅延調整部１４２に時間的ずれを示す情報を出力する。また、遅延制御部１４１は、デジタル音声信号がアナログ音声信号より先行している場合、デジタル遅延調整部１４３に時間的ずれを示す情報を出力する。
なお、遅延制御部１４１は、合成態様決定部１１３から合成態様を取得し、取得した合成態様が態様Ａ又は態様Ｂのいずれでもない場合のみ、上述の処理を行うようにしても良い。
【００４９】
アナログ遅延調整部１４２は、アナログ音声生成部１１１から取得したアナログ音声信号を所定期間遅延させたアナログ音声信号を出力する。
より具体的には、例えば、アナログ遅延調整部１４２は、遅延制御部１４１から取得した時間的ずれを示す情報に基づいて、アナログ音声生成部１１１から取得したアナログ音声信号を当該時間的ずれに対応する期間だけ遅延させたアナログ音声信号を出力する。また、例えば、アナログ遅延調整部１４２は、遅延制御部１４１から時間的ずれを示す情報を取得していない場合、アナログ音声生成部１１１から取得したアナログ音声信号を遅延させずに当該アナログ音声信号をそのまま出力する。
なお、アナログ遅延調整部１４２は、合成態様決定部１１３から合成態様を取得し、取得した合成態様が態様Ａ又は態様Ｂのいずれでもない場合のみ、上述の処理を行うようにしても良い。アナログ遅延調整部１４２は、上述の処理を行わない場合、例えば、アナログ音声生成部１１１から取得したアナログ音声信号を遅延させずに当該アナログ音声信号をそのまま出力する。
【００５０】
デジタル遅延調整部１４３は、デジタル音声生成部１１２から取得したデジタル音声信号を所定期間遅延させたデジタル音声信号を出力する。
より具体的には、例えば、デジタル遅延調整部１４３は、遅延制御部１４１から取得した時間的ずれを示す情報に基づいて、デジタル音声生成部１１２から取得したデジタル音声信号を当該時間的ずれに対応する期間だけ遅延させたデジタル音声信号を出力する。また、例えば、デジタル遅延調整部１４３は、遅延制御部１４１から時間的ずれを示す情報を取得していない場合、デジタル音声生成部１１２から取得したデジタル音声信号を遅延させずに当該デジタル音声信号をそのまま出力する。
なお、デジタル遅延調整部１４３は、合成態様決定部１１３から合成態様を取得し、取得した合成態様が態様Ａ又は態様Ｂのいずれでもない場合のみ、上述の処理を行うようにしても良い。デジタル遅延調整部１４３は、上述の処理を行わない場合、例えば、デジタル音声生成部１１２から取得したデジタル音声信号を遅延させずに当該デジタル音声信号をそのまま出力する。
【００５１】
音量調節部１４４は、アナログ遅延調整部１４２から取得したアナログ音声信号の音量を、デジタル遅延調整部１４３から取得したデジタル音声信号の音量と同様の音量になるように調節し、音量を調整したアナログ音声信号を出力する。
より具体的には、例えば、音量調節部１４４は、アナログ遅延調整部１４２から取得したアナログ音声信号における所定周波数の振幅がデジタル遅延調整部１４３から取得したデジタル音声信号における当該所定周波数の振幅と同程度になるように、当該アナログ音声信号を増幅する。所定周波数は、例えば、１ｋＨｚである。所定周波数は、１ｋＨｚに限定されるものではなく、アナログ音声信号及びデジタル音声信号の両方に含まれる周波数帯域内であれば良い。また、所定周波数は、１個には限らず、音量調節部１４４は、複数の所定周波数におけるアナログ音声信号及びデジタル音声信号の振幅に基づいて、当該アナログ音声信号を増幅しても良い。
【００５２】
なお、音量調節部１４４は、合成態様決定部１１３から合成態様を取得し、取得した合成態様が態様Ａ又は態様Ｂのいずれでもない場合のみ、上述の処理を行うようにしても良い。音量調節部１４４は、上述の処理を行わない場合、例えば、アナログ遅延調整部１４２から取得したアナログ音声信号の音量を調節せずに当該アナログ音声信号をそのまま出力する。
【００５３】
周波数成分抽出部１４５は、音量調節部１４４から取得したアナログ音声信号からデジタル音声における弱い周波数成分と同じ周波数の周波数成分を抽出する。
より具体的には、例えば、周波数成分抽出部１４５は、デジタル音声を離散フーリエ変換して得られたパワースペクトルを周知の技術で解析することにより、デジタル音声におけるパワーの弱い周波数成分を検出する。更に、周波数成分抽出部１４５は、音量調節部１４４から取得したアナログ音声信号から、デジタル音声におけるパワーの弱い周波数成分と同じ周波数の周波数成分をフィルタ等の周知の技術により抽出する。パワーの弱い周波数成分は、例えば、予め設定された閾値より周波数成分のパワーが弱いか否かで判定する。予め設定された閾値は、例えば、固定値でも良いし、また、最もパワーの強い周波数成分のパワーに基づいて決定されても良い。
【００５４】
なお、デジタル音声におけるパワーの弱い周波数成分は、放送局にて音声信号がＭＰ２等の圧縮方式により符号化される際に、特定の周波数成分が省略されることにより生ずる。デジタル音声におけるパワーの弱い周波数成分は、音声信号がＭＰ２等の圧縮方式により符号化される際の圧縮率が高くなるほど、すなわち、デジタル放送の音声ビットレートが低くなるほど、顕著に発生する。
【００５５】
また、周波数成分抽出部１４５は、合成態様決定部１１３から合成態様を取得し、取得した合成態様が態様Ａ又は態様Ｂのいずれでもない場合のみ、上述の処理を行うようにしても良い。周波数成分抽出部１４５は、上述の処理を行わない場合、例えば、音量調節部１４４から取得したアナログ音声信号から特定の周波数成分を抽出せずに当該アナログ音声信号をそのまま出力する。
【００５６】
合成部１４６は、周波数成分抽出部１４５から取得したアナログ音声信号と、デジタル遅延調整部１４３から取得したデジタル音声信号とを、合成態様決定部１１３が決定した合成態様に基づいて合成した合成音声信号を生成し、生成した合成音声信号を増幅部１０２に出力する。
【００５７】
より具体的には、例えば、合成部１４６は、合成態様決定部１１３から取得した合成態様が態様Ｃであった場合、デジタル遅延調整部１４３から取得したデジタル音声信号に、周波数成分抽出部１４５が抽出したアナログ音声信号における周波数成分の信号を、合成した合成音声信号を生成する。
また、例えば、合成部１４６は、合成態様決定部１１３から取得した合成態様が態様Ａであった場合、アナログ音声信号とデジタル音声信号とを合成せずに、デジタル音声生成部１１２から取得したデジタル音声信号を合成音声信号として増幅部１０２に出力する。
また、例えば、合成部１４６は、合成態様決定部１１３から取得した合成態様が態様Ｂであった場合、アナログ音声信号とデジタル音声信号とを合成せずに、アナログ音声生成部１１１から取得したアナログ音声信号を合成音声信号として増幅部１０２に出力する。
【００５８】
なお、遅延制御部１４１、アナログ遅延調整部１４２、デジタル遅延調整部１４３、音量調節部１４４、及び周波数成分抽出部１４５は、放送受信装置１００に備えられていれば、必ずしも音声信号合成部１１４に備えられている必要はない。
【００５９】
図５を参照して、実施の形態１に係る放送受信装置１００の動作について説明する。
図５は、実施の形態１に係る放送受信装置１００の処理を説明するフローチャートである。
【００６０】
まず、ステップＳＴ５０１にて、アナログ音声生成部１１１は、上述のとおり、アンテナ１２ａから取得したアナログ放送の放送信号から音声信号を生成する。
次に、ステップＳＴ５０２にて、デジタル音声生成部１１２は、アンテナ１２から取得したデジタル放送の放送信号から音声信号を生成する。
なお、ステップＳＴ５０１の処理及びステップＳＴ５０２の処理は、図５に示すフローチャートが実行されている間、バックグランド処理にて、それぞれ適宜繰り返して実行される。また、ステップＳＴ５０１の処理とステップＳＴ５０２の処理とは、いずれの処理を先に行っても良く、また、同時に処理されるものであっても良い。
【００６１】
次に、ステップＳＴ５０３にて、放送受信装置１００は、操作受付部１０１から放送信号の受信を終了させる操作情報を取得したか否かを判定する。放送信号の受信を終了させる操作情報は、例えば、放送受信装置１００の電源を切るための操作情報である。
ステップＳＴ５０３にて、操作受付部１０１から放送信号の受信を終了させる操作情報を取得した場合（ステップＳＴ５０３：ＹＥＳ）、放送受信装置１００は、図５に示すフローチャートの処理を終了する。
ステップＳＴ５０３にて、操作受付部１０１から放送信号の受信を終了させる操作情報を取得していない場合（ステップＳＴ５０３：ＮＯ）、ステップＳＴ５０４にて、合成態様決定部１１３は、上述のとおり、合成態様を決定する。ステップＳＴ５０４の処理の詳細については、後述する。
【００６２】
次に、ステップＳＴ５０５にて、音声信号合成部１１４は、上述のとおり、アナログ音声信号とデジタル音声信号とを合成態様に基づいて合成した合成音声信号を生成し、生成した合成音声信号を増幅部１０２に出力する。ステップＳＴ５０５の処理の詳細については、後述する。
ステップＳＴ５０５の処理の後、放送受信装置１００は、ステップＳＴ５０３の処理に戻る。具体的には、例えば、放送受信装置１００は、操作受付部１０１から放送信号の受信を終了させる操作情報を取得するまでの間、ステップＳＴ５０４及びステップＳＴ５０５の処理を繰り返し実行する。より具体的には、デジタル放送におけるＭＰ２等により符号化された放送信号のアクセスユニットが、例えば、１２５ミリ秒である場合、ステップＳＴ５０４及びステップＳＴ５０５の処理は、１２５ミリ秒毎に繰り返し実行される。アクセスユニットは、ＭＰ２等により符号化された放送信号を復号する単位である。
【００６３】
図６を参照して、ステップＳＴ５０４における実施の形態１に係る合成態様決定部１１３の動作について説明する。
図６は、実施の形態１に係る放送受信装置１００における合成態様決定部１１３の処理を説明するフローチャートである。
【００６４】
まず、ステップＳＴ６０１にて、アナログ受信品質判定部１３１は、上述のとおり、アナログ放送の放送波の受信品質が良いか否かを判定する。
ステップＳＴ６０１にて、アナログ受信品質判定部１３１によりアナログ放送の放送波の受信品質が良くない、すなわち、アナログ放送の放送波の受信品質が悪いと判定された場合（ステップＳＴ６０１：ＮＯ）、ステップＳＴ６０２にて、態様出力部１３３は、上述のとおり、合成態様を態様Ａに決定する。ステップＳＴ６０２の後、合成態様決定部１１３は、図６に示すフローチャートの処理を終了する。
ステップＳＴ６０１にて、アナログ受信品質判定部１３１によりアナログ放送の放送波の受信品質が良いと判定された場合（ステップＳＴ６０１：ＹＥＳ）、ステップＳＴ６０３にて、受信エラー判定部１３４は、アンテナ１２ｂから取得したデジタル放送の放送信号にビット誤りがあるか否かを判定する。
【００６５】
ステップＳＴ６０３にて、受信エラー判定部１３４によりアンテナ１２ｂから取得したデジタル放送の放送信号にビット誤りがあると判定された場合（ステップＳＴ６０３：ＹＥＳ）、ステップＳＴ６０４にて、態様出力部１３３は、上述のとおり、合成態様を態様Ｂに決定する。ステップＳＴ６０４の後、合成態様決定部１１３は、図６に示すフローチャートの処理を終了する。
ステップＳＴ６０３にて、受信エラー判定部１３４によりアンテナ１２ｂから取得したデジタル放送の放送信号にビット誤りがないと判定された場合（ステップＳＴ６０３：ＮＯ）、ステップＳＴ６０５にて、ビットレート判定部１３２は、上述のとおり、デジタル放送の音声ビットレートが予め定められた閾値より低いか否かを判定する。
【００６６】
ステップＳＴ６０５にて、ビットレート判定部１３２によりデジタル放送の音声ビットレートが予め定められた閾値より低くない、すなわち、デジタル放送の音声ビットレートが予め定められた閾値以上であると判定された場合（ステップＳＴ６０５：ＮＯ）、態様出力部１３３は、上述のとおり、ステップＳＴ６０２に示す処理を行う。
ステップＳＴ６０５にて、ビットレート判定部１３２によりデジタル放送の音声ビットレートが予め定められた閾値より低いと判定された場合（ステップＳＴ６０５：ＹＥＳ）、ステップＳＴ６０６にて、態様出力部１３３は、上述のとおり、合成態様を態様Ｃに決定する。ステップＳＴ６０６の後、合成態様決定部１１３は、図６に示すフローチャートの処理を終了する。
【００６７】
図７を参照して、ステップＳＴ５０５における実施の形態１に係る音声信号合成部１１４の動作について説明する。
図７は、実施の形態１に係る放送受信装置１００における音声信号合成部１１４の処理を説明するフローチャートである。
【００６８】
まず、ステップＳＴ７０１にて、遅延制御部１４１は、上述のとおり、アナログ音声信号とデジタル音声信号とにおける同一音源の時間的ずれを検出する。
次に、ステップＳＴ７０２にて、アナログ遅延調整部１４２は、上述のとおり、遅延制御部１４１から取得した時間的ずれを示す情報に基づいて、アナログ音声生成部１１１から取得したアナログ音声信号を当該時間的ずれに対応する期間だけ遅延させたアナログ音声信号を出力する。アナログ遅延調整部１４２は、遅延制御部１４１から時間的ずれを示す情報を取得していない場合、アナログ音声生成部１１１から取得したアナログ音声信号を遅延させずに当該アナログ音声信号をそのまま出力する。
【００６９】
次に、ステップＳＴ７０３にて、デジタル遅延調整部１４３は、上述のとおり、遅延制御部１４１から取得した時間的ずれを示す情報に基づいて、デジタル音声生成部１１２から取得したデジタル音声信号を当該時間的ずれに対応する期間だけ遅延させたデジタル音声信号を出力する。デジタル遅延調整部１４３は、遅延制御部１４１から時間的ずれを示す情報を取得していない場合、デジタル音声生成部１１２から取得したデジタル音声信号を遅延させずに当該デジタル音声信号をそのまま出力する。
なお、ステップＳＴ７０２とステップＳＴ７０３とは、いずれの処理を先に行っても良く、また、同時に処理されるものであっても良い。
【００７０】
次に、ステップＳＴ７０４にて、音量調節部１４４は、上述のとおり、アナログ遅延調整部１４２から取得したアナログ音声信号の音量を、デジタル遅延調整部１４３から取得したデジタル音声信号の音量と同様の音量になるように調節し、音量を調整したアナログ音声信号を出力する。
次に、ステップＳＴ７０５にて、周波数成分抽出部１４５は、上述のとおり、音量調節部１４４から取得したアナログ音声信号からデジタル音声における弱い周波数成分と同じ周波数の周波数成分を抽出する。
【００７１】
次に、ステップＳＴ７０６にて、合成部１４６は、合成態様決定部１１３から取得した合成態様が、態様Ｃか否かを判定する。
ステップＳＴ７０６にて、合成部１４６により合成態様が態様Ｃであると判定された場合（ステップＳＴ７０６：ＹＥＳ）、ステップＳＴ７０７にて、合成部１４６は、上述のとおり、デジタル遅延調整部１４３から取得したデジタル音声信号と、周波数成分抽出部１４５がアナログ音声信号から抽出した、デジタル音声における弱い周波数成分と同じ周波数の周波数成分とを合成した合成音声信号を生成し、生成した合成音声信号を増幅部１０２に出力する。ステップＳＴ７０７の後、音声信号合成部１１４は、図７に示すフローチャートの処理を終了する。
ステップＳＴ７０６にて、合成部１４６により合成態様が態様Ｃでないと判定された場合（ステップＳＴ７０６：ＮＯ）、ステップＳＴ７０８にて、合成部１４６は、合成態様決定部１１３から取得した合成態様が態様Ａか否かを判定する。
【００７２】
ステップＳＴ７０８にて、合成部１４６により合成態様が態様Ａであると判定された場合（ステップＳＴ７０８：ＹＥＳ）、ステップＳＴ７０９にて、合成部１４６は、上述のとおり、アナログ音声信号とデジタル音声信号とを合成せずに、デジタル音声生成部１１２から取得したデジタル音声信号を合成音声信号として増幅部１０２に出力する。ステップＳＴ７０９の後、音声信号合成部１１４は、図７に示すフローチャートの処理を終了する。
ステップＳＴ７０８にて、合成部１４６により合成態様が態様Ａでないと判定された場合（ステップＳＴ７０８：ＮＯ）、ステップＳＴ７１０にて、合成部１４６は、例えば、合成態様が態様Ｂであると判定する。ステップＳＴ７１０の後、ステップＳＴ７１１にて、合成部１４６は、アナログ音声信号とデジタル音声信号とを合成せずに、アナログ音声生成部１１１から取得したアナログ音声信号を合成音声信号として増幅部１０２に出力する。ステップＳＴ７１１の後、音声信号合成部１１４は、図７に示すフローチャートの処理を終了する。
【００７３】
なお、音声信号合成部１１４は、ステップＳＴ７０１からステップＳＴ７０５までの処理を、合成態様が態様Ａ又は態様Ｂのいずれでもない場合のみ、行うようにしても良い。
【００７４】
以上のように、放送受信装置１００は、取得したアナログ放送の放送信号から音声信号を生成するアナログ音声生成部１１１と、取得したデジタル放送の放送信号から音声信号を生成するデジタル音声生成部１１２と、アナログ放送の受信品質が良い場合、デジタル放送の音声ビットレートに応じて、合成態様を決定する合成態様決定部１１３と、アナログ音声生成部１１１が生成した音声信号と、デジタル音声生成部１１２が生成した音声信号とを、合成態様決定部１１３が決定した合成態様に基づいて合成した合成音声信号を生成する音声信号合成部１１４と、を備えた。
このように構成することで、放送受信装置１００は、アナログ放送の受信品質が良い場合において、デジタル放送の放送波から得た音声信号より高音質な音声信号を出力できる。
【００７５】
実施の形態２．
実施の形態２に係る放送受信装置１００ａは、一例として、車載用音響装置１０ａに適用されるものとして、以下説明する。
【００７６】
図８は、実施の形態２に係る放送受信装置１００ａが適用された車載用音響装置１０ａの要部を示すブロック図である。
図９は、実施の形態２に係る放送受信装置１００ａにおける合成態様決定部１１３ａの要部を示すブロック図である。
図１０は、実施の形態１に係る放送受信装置１００ａにおける音声信号合成部１１４ａの要部を示すブロック図である。
【００７７】
実施の形態２に係る放送受信装置１００ａは、実施の形態１に係る放送受信装置１００と比較して、実施の形態２に係る放送受信装置１００ａにおける合成態様決定部１１３ａ及び音声信号合成部１１４ａの構成が、実施の形態１に放送受信装置１００係る合成態様決定部１１３及び音声信号合成部１１４の構成と相違する。
その他の実施の形態２に係る放送受信装置１００ａの構成において、実施の形態１に係る放送受信装置１００と同様の構成については、同じ符号を付して重複した説明を省略する。すなわち、図１、図２、及び図３に記載した符号と同じ符号を付した図８、図９、及び図１０の構成については、説明を省略する。
【００７８】
車載用音響装置１０ａは、放送受信装置１００ａ、操作受付部１０１、及び増幅部１０２を備える。
放送受信装置１００ａは、アナログ音声生成部１１１、デジタル音声生成部１１２、合成態様決定部１１３ａ、及び音声信号合成部１１４ａを備える。
【００７９】
合成態様決定部１１３ａは、アナログ放送の受信品質が良い場合、デジタル放送の音声ビットレート、及び、デジタル音声信号の周波数特性に応じて、合成態様を決定する。
合成態様決定部１１３ａは、例えば、アナログ受信品質判定部１３１、ビットレート判定部１３２、態様出力部１３３ａ、受信エラー判定部１３４、及び周波数特性判定部１３５を備える。
なお、受信エラー判定部１３４は、実施の形態１に係る放送受信装置１００と同様に、実施の形態２に係る放送受信装置１００ａにおいて必須な構成ではなく、受信エラー判定部１３４は、実施の形態２に係る放送受信装置１００ａに、適宜、追加又は削除することができる。
【００８０】
周波数特性判定部１３５は、例えば、デジタル音声信号の周波数特性が予め定められた閾値より低いか否かを判定する。
デジタル音声信号の周波数特性は、デジタル音声信号における周波数成分を有する周波数の上限値である。すなわち、デジタル音声信号の周波数特性が予め定められた閾値より低いか否かを判定するとは、デジタル音声信号における周波数成分を有する周波数の上限値が予め定められた周波数と比較して低いか否かを判定することである。
【００８１】
より具体的には、例えば、周波数特性判定部１３５は、デジタル音声生成部１１２が復調した放送信号を復号する際に得たデジタル音声信号のサンプリングレートを示す情報をデジタル音声生成部１１２から取得する。デジタル音声信号のサンプリングレートを示す情報は、例えば、復調後の放送信号におけるＭＰ２のＴＳヘッダ等に格納されている。一般に、周波数特性は、サンプリングレートを半分の値にすることで算出できる。したがって、デジタル音声信号の周波数特性は、デジタル音声生成部１１２から取得したデジタル音声信号のサンプリングレートを示す情報から算出される。
【００８２】
デジタル音声信号のサンプリングレートは、例えば、ＤＡＢでは、４８ｋＨｚ又は２４ｋＨｚである。したがって、デジタル音声信号の周波数特性は、例えば、ＤＡＢでは、２４ｋＨｚ又は１２ｋＨｚである。例えば、デジタル音声信号の周波数特性が１２ｋＨｚの場合、１２ｋＨｚ以上の高音域は、ＭＰ２等の圧縮方式により符号化される際に、省略されてしまっている。
【００８３】
予め定められた閾値は、例えば、アナログ放送の放送種別から推定されるサンプリングレートを半分の値にしたアナログ放送の周波数特性である。アナログ放送の放送種別は、例えば、操作受付部１０１が取得した操作情報に基づいてアナログ音声生成部１１１に設定された放送周波数から判別可能である。周波数特性判定部１３５は、例えば、アナログ音声生成部１１１に設定された放送周波数をアナログ音声生成部１１１から取得する。例えば、放送周波数が４７ＭＨｚから１０８ＭＨｚまでの間である場合、放送種別は、ＦＭ放送であると判別される。放送種別がＦＭ放送である場合、推定される一般的なサンプリングレートは、３３ｋＨｚである。したがって、ＦＭ放送におけるアナログ放送の周波数特性は、１６．５ｋＨｚである。また、例えば、放送周波数が５２６．５ｋＨｚから１６０６．５ｋＨｚまでの間である場合、放送種別は、ＡＭ放送であると判別される。放送種別がＡＭ放送である場合、推定される一般的なサンプリングレートは、２２ｋＨｚである。したがって、ＡＭ放送におけるアナログ放送の周波数特性は、１１ｋＨｚである。
【００８４】
態様出力部１３３ａは、アナログ受信品質判定部１３１が判定した結果と、ビットレート判定部１３２が判定した結果と、周波数特性判定部１３５が判定した結果とに基づいて、合成態様を決定して、音声信号合成部１１４ａに出力する。
【００８５】
より具体的には、例えば、態様出力部１３３ａは、アナログ受信品質判定部１３１によりアナログ放送の放送波の受信品質が良いと判定され、且つ、ビットレート判定部１３２によりデジタル放送の音声ビットレートが予め定められた閾値より低いと判定され、且つ、周波数特性判定部１３５によりデジタル放送の周波数特性が予め定められた閾値より低いと判定された場合、デジタル音声信号における一部の周波数成分がアナログ音声信号には存在するにも拘わらずデジタル音声信号には存在しないことが推定されるため、合成態様を態様Ｃに決定する。
実施の形態２では、態様出力部１３３ａは、アナログ受信品質判定部１３１によりアナログ放送の放送波の受信品質が良いと判定され、且つ、ビットレート判定部１３２によりデジタル放送の音声ビットレートが予め定められた閾値より低いと判定され、且つ、周波数特性判定部１３５によりデジタル放送の周波数特性が予め定められた閾値より低いと判定された場合、合成態様を態様Ｃに決定する例を示すが、この限りではない。
【００８６】
例えば、態様出力部１３３ａは、アナログ受信品質判定部１３１によりアナログ放送の放送波の受信品質が良いと判定され、且つ、ビットレート判定部１３２によりデジタル放送の音声ビットレートが予め定められた閾値より低いと判定され、且つ、周波数特性判定部１３５によりデジタル放送の周波数特性が予め定められた閾値より低いと判定された場合、デジタル音声信号の周波数特性より周波数の高い周波数成分がアナログ音声信号には存在するにも拘わらずデジタル音声信号には存在しないことが推定されるため、デジタル音声信号の周波数特性より高い周波数の周波数成分の信号を、アナログ音声信号における当該周波数の周波数成分の信号により補完して合成音声信号を生成するよう（以下「態様Ｄ」という。）に、合成態様を決定しても良い。
【００８７】
また、例えば、態様出力部１３３ａは、アナログ受信品質判定部１３１によりアナログ放送の放送波の受信品質が良いと判定され、且つ、ビットレート判定部１３２によりデジタル放送の音声ビットレートが予め定められた閾値より低いと判定され、且つ、周波数特性判定部１３５によりデジタル放送の周波数特性が予め定められた閾値より低いと判定された場合、態様Ｃと態様Ｄとを組み合わせた態様に合成態様を決定しても良い。
【００８８】
また、例えば、態様出力部１３３ａは、アナログ受信品質判定部１３１によりアナログ放送の放送波の受信品質が良いと判定され、且つ、ビットレート判定部１３２によりデジタル放送の音声ビットレートが予め定められた閾値より低いと判定され、且つ、周波数特性判定部１３５によりデジタル放送の周波数特性が予め定められた閾値より低いと判定された場合、デジタル音声信号の音質に比べて、アナログ音声信号の音質の方が良いことが推定されるため、合成態様を態様Ｂに決定しても良い。
【００８９】
また、例えば、態様出力部１３３ａは、アナログ受信品質判定部１３１によりアナログ放送の放送波の受信品質が良いと判定され、且つ、ビットレート判定部１３２によりデジタル放送の音声ビットレートが予め定められた閾値より低いと判定され、且つ、周波数特性判定部１３５によりデジタル放送の周波数特性が予め定められた閾値以上と判定された場合、デジタル音声信号がアナログ音声信号より高音域の周波数成分を含むにも拘わらず、デジタル音声信号の音声ビットレートがアナログ音声信号の音声ビットレートより低いことから、デジタル音声信号における一部の周波数成分がアナログ音声信号には存在するにも拘わらずデジタル音声信号には存在しないことが推定されるため、合成態様を態様Ｃに決定する。
【００９０】
また、例えば、態様出力部１３３ａは、アナログ受信品質判定部１３１によりアナログ放送の放送波の受信品質が良いと判定され、且つ、ビットレート判定部１３２によりデジタル放送の音声ビットレートが予め定められた閾値以上と判定され、且つ、周波数特性判定部１３５によりデジタル放送の周波数特性が予め定められた閾値より低いと判定された場合、デジタル音声信号の周波数特性より周波数の高い周波数成分がアナログ音声信号には存在するにも拘わらずデジタル音声信号には存在しないことが推定されるため、合成態様を態様Ｄに決定する。
【００９１】
また、例えば、態様出力部１３３ａは、アナログ受信品質判定部１３１によりアナログ放送の放送波の受信品質が良いと判定され、且つ、ビットレート判定部１３２によりデジタル放送の音声ビットレートが予め定められた閾値以上と判定され、且つ、周波数特性判定部１３５によりデジタル放送の周波数特性が予め定められた閾値以上と判定された場合、デジタル音声信号の音質がアナログ音声信号の音質より良いことが推定されるため、合成態様を態様Ａに決定する。
【００９２】
また、例えば、態様出力部１３３ａは、アナログ受信品質判定部１３１によりアナログ放送の放送波の受信品質が良くない、すなわち、アナログ放送の放送波の受信品質が悪いと判定された場合、アナログ音声信号が聴くに堪えない音質であることが想定されるため、ビットレート判定部１３２が判定した結果及び周波数特性判定部１３５が判定した結果に依存せずに、合成態様を態様Ａに決定する。アナログ受信品質判定部１３１は、アナログ受信品質判定部１３１によりアナログ放送の放送波の受信品質が悪いと判定された場合、例えば、ビットレート判定部１３２によるデジタル放送の音声ビットレートが予め定められた閾値より低いか否かを判定する処理、及び、周波数特性判定部１３５によりデジタル放送の周波数特性が予め定められた閾値より低いか否かを判定する処理を実行させないようにビットレート判定部１３２を制御しても良い。
【００９３】
また、例えば、態様出力部１３３ａは、合成態様決定部１１３ａが受信エラー判定部１３４を備え、アナログ受信品質判定部１３１によりアナログ放送の放送波の受信品質が良いと判定され、且つ、受信エラー判定部１３４によりアンテナ１２ｂから取得したデジタル放送の放送信号にビット誤りがあると判定された場合、デジタル音声信号が生成されていないことが推定されるため、合成態様を態様Ｂに決定する。
【００９４】
なお、アナログ受信品質判定部１３１、ビットレート判定部１３２、受信エラー判定部１３４、及び周波数特性判定部１３５は、放送受信装置１００に備えられていれば、必ずしも合成態様決定部１１３ａに備えられている必要ない。
【００９５】
音声信号合成部１１４ａは、アナログ音声信号とデジタル音声信号とを、合成態様決定部１１３ａが決定した合成態様に基づいて合成した合成音声信号を生成する。
音声信号合成部１１４ａは、例えば、遅延制御部１４１、アナログ遅延調整部１４２、デジタル遅延調整部１４３、音量調節部１４４、周波数成分抽出部１４５、及び合成部１４６ａを備える。
【００９６】
合成部１４６ａは、合成態様決定部１１３ａが決定した合成態様に基づいて、周波数成分抽出部１４５から取得したアナログ音声信号と、デジタル遅延調整部１４３から取得したデジタル音声信号とを合成した合成音声信号を生成し、生成した合成音声信号を増幅部１０２に出力する。
【００９７】
より具体的には、例えば、合成部１４６ａは、合成態様決定部１１３から取得した合成態様が態様Ｃであった場合、デジタル遅延調整部１４３から取得したデジタル音声信号に、周波数成分抽出部１４５が抽出したアナログ音声信号における周波数成分の信号を、合成した合成音声信号を生成する。
【００９８】
また、例えば、合成部１４６ａは、合成態様決定部１１３から取得した合成態様が態様Ａであった場合、アナログ音声信号とデジタル音声信号とを合成せずに、デジタル音声生成部１１２から取得したデジタル音声信号を合成音声信号として増幅部１０２に出力する。
また、例えば、合成部１４６ａは、合成態様決定部１１３から取得した合成態様が態様Ｂであった場合、アナログ音声信号とデジタル音声信号とを合成せずに、アナログ音声生成部１１１から取得したアナログ音声信号を合成音声信号として増幅部１０２に出力する。
また、例えば、合成部１４６ａは、合成態様決定部１１３から取得した合成態様が態様Ｄであった場合、デジタル遅延調整部１４３から取得したデジタル音声信号と、デジタル音声信号の周波数特性より高いアナログ音声信号における周波数成分とを合成した合成音声信号を生成して増幅部１０２に出力する。
【００９９】
なお、遅延制御部１４１、アナログ遅延調整部１４２、デジタル遅延調整部１４３、音量調節部１４４、及び周波数成分抽出部１４５は、放送受信装置１００ａに備えられていれば、必ずしも音声信号合成部１１４ａに備えられている必要ない。
【０１００】
なお、実施の形態２において、アナログ音声生成部１１１、デジタル音声生成部１１２、合成態様決定部１１３ａ、及び音声信号合成部１１４ａの各機能は、実施の形態１において図２Ａ及び図２Ｂに一例を示したハードウェア構成におけるプロセッサ２０１及びメモリ２０２により実現されるものであっても良く、又は処理回路２０３により実現されるものであっても良い。
【０１０１】
図１１を参照して、実施の形態２に係る放送受信装置１００ａの動作について説明する。
図１１は、実施の形態２に係る放送受信装置１００ａの処理を説明するフローチャートである。
なお、図１１に示すステップＳＴ５０１からステップＳＴ５０３までの処理は、図５に示すステップＳＴ５０１からステップＳＴ５０３までの処理と同様であるため、説明を省略する。
【０１０２】
ステップＳＴ５０３にて、操作受付部１０１から放送信号の受信を終了させる操作情報を取得していない場合（ステップＳＴ５０３：ＮＯ）、ステップＳＴ１１０４にて、合成態様決定部１１３ａは、上述のとおり、合成態様を決定する。ステップＳＴ１１０４の処理の詳細については、後述する。
【０１０３】
次に、ステップＳＴ１１０５にて、音声信号合成部１１４ａは、上述のとおり、アナログ音声信号とデジタル音声信号とを合成態様に基づいて合成した合成音声信号を生成し、生成した合成音声信号を増幅部１０２に出力する。ステップＳＴ１１０５の処理の詳細については、後述する。
ステップＳＴ１１０５の処理の後、放送受信装置１００ａは、図１１に示すステップＳＴ５０３の処理に戻る。具体的には、例えば、放送受信装置１００ａは、操作受付部１０１から放送信号の受信を終了させる操作情報を取得するまでの間、ステップＳＴ１１０４及びステップＳＴ１１０５の処理を繰り返して実行する。より具体的には、デジタル放送におけるＭＰ２等により符号化された放送信号のアクセスユニットが、例えば、１２５ミリ秒である場合、ステップＳＴ１１０４及びステップＳＴ１１０５の処理は、１２５ミリ秒毎に繰り返し実行される。アクセスユニットは、ＭＰ２等により符号化された放送信号を復号する単位である。
【０１０４】
図１２を参照して、ステップＳＴ１１０４における実施の形態２に係る合成態様決定部１１３ａの動作について説明する。
図１２は、実施の形態２に係る放送受信装置１００ａにおける合成態様決定部１１３ａの処理を説明するフローチャートである。
なお、図１２に示すステップＳＴ６０１からステップＳＴ６０４までの処理は、図６に示すステップＳＴ６０１からステップＳＴ６０４までの処理と同様であるため、説明を省略する。
なお、図６に示すステップＳＴ６０１からステップＳＴ６０４までの処理において、態様出力部１３３及び音声信号合成部１１４により処理されるものは、図１２においては、態様出力部１３３ａ及び音声信号合成部１１４ａにより処理されるものとする。
【０１０５】
ステップＳＴ６０３にて、受信エラー判定部１３４によりアンテナ１２ｂから取得したデジタル放送の放送信号にビット誤りがないと判定された場合（ステップＳＴ６０３：ＮＯ）、ステップＳＴ１２０５にて、周波数特性判定部１３５は、上述のとおり、デジタル放送の周波数特性が予め定められた閾値より低いか否かを判定する。
【０１０６】
ステップＳＴ１２０５にて、周波数特性判定部１３５によりデジタル放送の周波数特性が予め定められた閾値より低くない、すなわち、デジタル放送の周波数特性が予め定められた閾値以上であると判定された場合（ステップＳＴ１２０５：ＮＯ）、ステップＳＴ１２０６にて、ビットレート判定部１３２は、デジタル放送の音声ビットレートが予め定められた閾値より低いか否かを判定する。
【０１０７】
ステップＳＴ１２０６にて、ビットレート判定部１３２によりデジタル放送の音声ビットレートが予め定められた閾値より低くない、すなわち、デジタル放送の音声ビットレートが予め定められた閾値以上であると判定された場合（ステップＳＴ１２０６：ＮＯ）、態様出力部１３３ａは、上述のとおり、ステップＳＴ６０２に示す処理を行う。
ステップＳＴ１２０６にて、ビットレート判定部１３２によりデジタル放送の音声ビットレートが予め定められた閾値より低いと判定された場合（ステップＳＴ１２０６：ＹＥＳ）、ステップＳＴ１２０７にて、態様出力部１３３ａは、上述のとおり、合成態様を態様Ｃに決定する。ステップＳＴ１２０７の後、合成態様決定部１１３ａは、図６に示すフローチャートの処理を終了する。
【０１０８】
ステップＳＴ１２０５にて、周波数特性判定部１３５によりデジタル放送の周波数特性が予め定められた閾値より低いと判定された場合（ステップＳＴ１２０５：ＹＥＳ）、ステップＳＴ１２０８にて、ビットレート判定部１３２は、デジタル放送の音声ビットレートが予め定められた閾値より低いか否かを判定する。
【０１０９】
ステップＳＴ１２０８にて、ビットレート判定部１３２によりデジタル放送の音声ビットレートが予め定められた閾値より低くない、すなわち、デジタル放送の音声ビットレートが予め定められた閾値以上であると判定された場合（ステップＳＴ１２０８：ＮＯ）、ステップＳＴ１２０９にて、態様出力部１３３ａは、上述のとおり、合成態様を態様Ｄに決定する。ステップＳＴ１２０９の後、合成態様決定部１１３ａは、図６に示すフローチャートの処理を終了する。
ステップＳＴ１２０８にて、ビットレート判定部１３２によりデジタル放送の音声ビットレートが予め定められた閾値より低いと判定された場合（ステップＳＴ１２０８：ＹＥＳ）、態様出力部１３３ａは、上述のとおり、ステップＳＴ１２０７に示す処理を行う。
【０１１０】
図１３Ａ及び図１３Ｂを参照して、ステップＳＴ１１０５における実施の形態２に係る音声信号合成部１１４ａの動作について説明する。
図１３Ａ及び図１３Ｂはそれぞれ、実施の形態２に係る放送受信装置１００ａにおける音声信号合成部１１４ａの処理の一部を説明するフローチャートであり、図１３Ａに示す結合子と、図１３Ｂに示す結合子とが接続されることで、実施の形態２に係る放送受信装置１００ａにおける音声信号合成部１１４ａの一連の処理となる。
なお、図１３Ａ又は図１３Ｂに示すステップＳＴ７０１からステップＳＴ７０９までの処理は、図７に示すステップＳＴ７０１からステップＳＴ７０９までの処理と同様であるため、説明を省略する。また、
なお、図７に示すステップＳＴ７０１からステップＳＴ７０９までの処理において、合成部１４６及び合成態様決定部１１３により処理されるものは、図１３Ａ及び図１３Ｂにおいては、合成部１４６ａ及び合成態様決定部１１３ａにより処理されるものとする。
【０１１１】
ステップＳＴ７０８にて、合成部１４６ａにより合成態様が態様Ａでないと判定された場合（ステップＳＴ７０８：ＮＯ）、ステップＳＴ１３１０にて、合成部１４６ａは、合成態様決定部１１３ａから取得した合成態様が態様Ｄか否かを判定する。
【０１１２】
ステップＳＴ１３１０にて、合成部１４６ａにより合成態様が態様Ｄであると判定された場合（ステップＳＴ１３１０：ＹＥＳ）、ステップＳＴ１３１１にて、合成部１４６ａは、上述のとおり、デジタル遅延調整部１４３から取得したデジタル音声信号と、デジタル音声信号の周波数特性より高いアナログ音声信号における周波数成分とを合成した合成音声信号を生成して増幅部１０２に出力する。ステップＳＴ１３１１の後、音声信号合成部１１４ａは、図１３Ａ及び図１３Ｂに示すフローチャートの処理を終了する。
ステップＳＴ１３１０にて、合成部１４６ａにより合成態様が態様Ｄでないと判定された場合（ステップＳＴ１３１０：ＮＯ）、ステップＳＴ１３１２にて、合成部１４６ａは、例えば、合成態様が態様Ｂであると判定する。ステップＳＴ１３１２の後、ステップＳＴ１３１３にて、アナログ音声信号とデジタル音声信号とを合成せずに、アナログ音声生成部１１１から取得したアナログ音声信号を合成音声信号として増幅部１０２に出力する。ステップＳＴ１３１３の後、音声信号合成部１１４ａは、図１３Ａ及び図１３Ｂに示すフローチャートの処理を終了する。
【０１１３】
なお、音声信号合成部１１４ａは、ステップＳＴ７０１からステップＳＴ７０５までの処理を、合成態様が態様Ａ又は態様Ｂのいずれでもない場合のみ、行うようにしても良い。
【０１１４】
以上のように、放送受信装置１００ａは、取得したアナログ放送の放送信号から音声信号を生成するアナログ音声生成部１１１と、取得したデジタル放送の放送信号から音声信号を生成するデジタル音声生成部１１２と、アナログ放送の受信品質が良い場合、デジタル放送の音声ビットレート、及び、デジタル音声生成部１１２が生成した音声信号の周波数特性に応じて、合成態様を決定する合成態様決定部１１３ａと、アナログ音声生成部１１１が生成した音声信号と、デジタル音声生成部１１２が生成した音声信号とを、合成態様決定部１１３ａが決定した合成態様に基づいて合成した合成音声信号を生成する音声信号合成部１１４ａと、を備えた。
このように構成することで、放送受信装置１００ａは、アナログ放送の受信品質が良い場合において、デジタル放送の放送波から得た音声信号より高音質な音声信号を出力できる。
【０１１５】
なお、この発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【０１１６】
この発明に係る放送受信装置は音響装置に適用することができる。
【符号の説明】
【０１１７】
１  車両、１０，１０ａ  車載用音響装置、１１  音声出力装置、１２，１２ａ，１２ｂ  アンテナ、１００，１００ａ  放送受信装置、１０１  操作受付部、１０２  増幅部、１１１  アナログ音声生成部、１１２  デジタル音声生成部、１１３，１１３ａ  合成態様決定部、１１４，１１４ａ  音声信号合成部、１３１  アナログ受信品質判定部、１３２  ビットレート判定部、１３３，１３３ａ  態様出力部、１３４  受信エラー判定部、１３５  周波数特性判定部、１４１  遅延制御部、１４２  アナログ遅延調整部、１４３  デジタル遅延調整部、１４４  音量調節部、１４５  周波数成分抽出部、１４６，１４６ａ  合成部、２０１  プロセッサ、２０２  メモリ、２０３  処理回路。
【図１】
2020012634.tif 000003
【図２】
2020012634.tif 000004
【図３】
2020012634.tif 000005
【図４】
2020012634.tif 000006
【図５】
2020012634.tif 000007
【図６】
2020012634.tif 000008
【図７】
2020012634.tif 000009
【図８】
2020012634.tif 000010
【図９】
2020012634.tif 000011
【図１０】
2020012634.tif 000012
【図１１】
2020012634.tif 000013
【図１２】
2020012634.tif 000014
【図１３Ａ】
2020012634.tif 000015
【図１３Ｂ】
2020012634.tif 000016
【手続補正書】
【提出日】令和2年8月11日(2020.8.11)
【手続補正１】
【補正対象書類名】明細書
【補正対象項目名】０００８
【補正方法】変更
【補正の内容】
【０００８】
この発明に係る放送受信装置は、取得したアナログ放送の放送信号から音声信号を生成するアナログ音声生成部と、取得したデジタル放送の放送信号から音声信号を生成するデジタル音声生成部と、アナログ放送の受信品質が良い場合、デジタル放送の音声ビットレートに応じて、合成態様を決定する合成態様決定部と、アナログ音声生成部が生成した音声信号と、デジタル音声生成部が生成した音声信号とを、合成態様決定部が決定した合成態様に基づいて合成した合成音声信号を生成する音声信号合成部と、を備え、合成態様決定部は、デジタル放送の音声ビットレートがアナログ放送の放送種別から推定される音声ビットレートより低い場合、デジタル音声生成部が生成した音声信号における弱い周波数成分の信号を、アナログ音声生成部が生成した音声信号における当該周波数成分と同じ周波数の周波数成分の信号により補完して合成音声信号を生成するように、合成態様を決定するものである。
【手続補正２】
【補正対象書類名】特許請求の範囲
【補正対象項目名】全文
【補正方法】変更
【補正の内容】
【特許請求の範囲】
【請求項１】
取得したアナログ放送の放送信号から音声信号を生成するアナログ音声生成部と、
取得したデジタル放送の放送信号から音声信号を生成するデジタル音声生成部と、
前記アナログ放送の受信品質が良い場合、前記デジタル放送の音声ビットレートに応じて、合成態様を決定する合成態様決定部と、
前記アナログ音声生成部が生成した音声信号と、前記デジタル音声生成部が生成した音声信号とを、前記合成態様決定部が決定した前記合成態様に基づいて合成した合成音声信号を生成する音声信号合成部と、
を備え、
前記合成態様決定部は、前記デジタル放送の前記音声ビットレートが前記アナログ放送の放送種別から推定される音声ビットレートより低い場合、前記デジタル音声生成部が生成した音声信号における弱い周波数成分の信号を、前記アナログ音声生成部が生成した音声信号における当該周波数成分と同じ周波数の周波数成分の信号により補完して前記合成音声信号を生成するように、前記合成態様を決定すること
を特徴とする放送受信装置。
【請求項２】
取得したアナログ放送の放送信号から音声信号を生成するアナログ音声生成部と、
取得したデジタル放送の放送信号から音声信号を生成するデジタル音声生成部と、
前記アナログ放送の受信品質が良い場合、前記デジタル放送の音声ビットレートに応じて、合成態様を決定する合成態様決定部と、
前記アナログ音声生成部が生成した音声信号と、前記デジタル音声生成部が生成した音声信号とを、前記合成態様決定部が決定した前記合成態様に基づいて合成した合成音声信号を生成する音声信号合成部と、
を備え、
前記合成態様決定部は、前記アナログ放送の前記受信品質が良い場合、前記デジタル放送の前記音声ビットレート、及び、前記デジタル音声生成部が生成した音声信号の周波数特性に応じて、前記合成態様を決定すること
を特徴とする放送受信装置。
【請求項３】
前記合成態様決定部は、前記デジタル放送の前記音声ビットレートが前記アナログ放送の放送種別から推定される音声ビットレートより高く、且つ、前記デジタル音声生成部が生成した音声信号の周波数特性が前記アナログ音声生成部が生成した音声信号の周波数特性より悪い場合、前記デジタル音声生成部が生成した音声信号の前記周波数特性より高い周波数の周波数成分の信号を、前記アナログ音声生成部が生成した音声信号における当該周波数の周波数成分の信号により補完して前記合成音声信号を生成するように、前記合成態様を決定すること
を特徴とする請求項２記載の放送受信装置。
【請求項４】
前記合成態様決定部は、前記デジタル放送の前記音声ビットレートが前記アナログ放送の放送種別から推定される音声ビットレートより低く、且つ、前記デジタル音声生成部が生成した音声信号の周波数特性が前記アナログ音声生成部が生成した音声信号の周波数特性より良い場合、前記デジタル音声生成部が生成した音声信号における弱い周波数成分の信号を、前記アナログ音声生成部が生成した音声信号における当該周波数成分と同じ周波数の周波数成分の信号により補完して前記合成音声信号を生成するように、前記合成態様を決定すること
を特徴とする請求項２記載の放送受信装置。
【請求項５】
前記合成態様決定部は、前記デジタル放送の前記音声ビットレートが前記アナログ放送の放送種別から推定される音声ビットレートより高く、且つ、前記デジタル音声生成部が生成した音声信号の周波数特性が前記アナログ音声生成部が生成した音声信号の周波数特性より良い場合、前記アナログ音声生成部が生成した音声信号と、前記デジタル音声生成部が生成した音声信号とを合成せずに、前記デジタル音声生成部が生成した音声信号を前記合成音声信号とするように、前記合成態様を決定すること
を特徴とする請求項２記載の放送受信装置。
【請求項６】
前記合成態様決定部は、前記デジタル放送の前記音声ビットレートが前記アナログ放送の放送種別から推定される音声ビットレートより低く、且つ、前記デジタル音声生成部が生成した音声信号の周波数特性が前記アナログ音声生成部が生成した音声信号の周波数特性より悪い場合、前記アナログ音声生成部が生成した音声信号と、前記デジタル音声生成部が生成した音声信号とを合成せずに、前記アナログ音声生成部が生成した音声信号を前記合成音声信号とするように、前記合成態様を決定すること
を特徴とする請求項２記載の放送受信装置。
【請求項７】
前記合成態様決定部は、前記アナログ放送の前記受信品質が良く、且つ、取得した前記デジタル放送の前記放送信号にビット誤りがある場合、前記アナログ音声生成部が生成した音声信号と、前記デジタル音声生成部が生成した音声信号とを合成せずに、前記アナログ音声生成部が生成した音声信号を前記合成音声信号とするように、前記合成態様を決定すること
を特徴とする請求項１又は請求項２記載の放送受信装置。
【請求項８】
前記合成態様決定部は、前記アナログ放送の前記受信品質が悪い場合、前記アナログ音声生成部が生成した音声信号と、前記デジタル音声生成部が生成した音声信号とを合成せずに、前記デジタル音声生成部が生成した音声信号のみから前記合成音声信号を生成するように、前記合成態様を決定すること
を特徴とする請求項１又は請求項２記載の放送受信装置。
【請求項９】
アナログ音声生成部が、取得したアナログ放送の放送信号から音声信号を生成し、
デジタル音声生成部が、取得したデジタル放送の放送信号から音声信号を生成し、
合成態様決定部が、前記アナログ放送の受信品質が良い場合、前記デジタル放送の音声ビットレートに応じて、合成態様を決定し、
音声信号合成部が、前記アナログ音声生成部が生成した音声信号と、前記デジタル音声生成部が生成した音声信号とを、前記合成態様決定部が決定した前記合成態様に基づいて合成した合成音声信号を生成する放送受信方法であって、
前記合成態様決定部は、前記デジタル放送の前記音声ビットレートが前記アナログ放送の放送種別から推定される音声ビットレートより低い場合、前記デジタル音声生成部が生成した音声信号における弱い周波数成分の信号を、前記アナログ音声生成部が生成した音声信号における当該周波数成分と同じ周波数の周波数成分の信号により補完して前記合成音声信号を生成するように、前記合成態様を決定すること
を特徴とする放送受信方法。
【請求項１０】
アナログ音声生成部が、取得したアナログ放送の放送信号から音声信号を生成し、
デジタル音声生成部が、取得したデジタル放送の放送信号から音声信号を生成し、
合成態様決定部が、前記アナログ放送の受信品質が良い場合、前記デジタル放送の音声ビットレートに応じて、合成態様を決定し、
音声信号合成部が、前記アナログ音声生成部が生成した音声信号と、前記デジタル音声生成部が生成した音声信号とを、前記合成態様決定部が決定した前記合成態様に基づいて合成した合成音声信号を生成する放送受信方法であって、
前記合成態様決定部は、前記アナログ放送の前記受信品質が良い場合、前記デジタル放送の前記音声ビットレート、及び、前記デジタル音声生成部が生成した音声信号の周波数特性に応じて、前記合成態様を決定すること
を特徴とする放送受信方法。
【国際調査報告】
2020012634.tif 000017
2020012634.tif 000018
2020012634.tif 000019
2020012634.tif 000020